(57)【特許請求の範囲】
【請求項１】
被測液体の流量に応じた流量信号を計測してこの流量信号を受けると単位流量信号あたりの流量を積算してこの積算値から所定流量単位の積算流量を算出し、これをカウンタ部で記憶し、この積算流量を各種流量表示単位に切換えて表示部で表示するように構成した流量計の表示装置において、
積算流量を記憶するカウンタ部の桁数を表示部の表示桁数よりも多くする一方、
設定モード時、カウンタ部に記憶された積算流量の流量単位と所望流量表示単位とからカウンタ部の最下位表示桁を算出して、この最下位表示桁から表示部の表示桁の個数に相当する桁の値を表示部で表示するように構成したことを特徴とする流量計の表示装置。
【発明の詳細な説明】
【０００１】
【発明の属する技術分野】
本発明は、被測液体の流量に応じた流量信号を計測してこの流量信号に応じた積算流量を積算し、この積算流量を任意の流量表示単位に切換えて表示できるように構成した流量計の表示装置、特に大流量表示単位から小流量表示単位に表示を切換えても表示切換前の積算流量を小流量まで正確に表示することができる表示装置に関する。
【０００２】
【従来の技術】
最近、各種流量計の表示装置の電子化が進み、被測液体の流量表示がディジタル化されている。これにともない、被測液体の流量を表示する流量計の表示部は、積算流量、瞬時流量等の流量情報あるいは各種設定情報を数多く表示できるようになっている。また、これら表示装置の電子化にともない、１種類の表示装置で複数の流量範囲の流量計に対応できるように表示装置の共通化が進められている。この種の表示装置は、被測液体の流量に応じて計測された流量信号を受けると単位流量信号あたりの流量を積算して、その積算値からあらかじめ設定された表示単位の積算流量を算出し、この積算流量をカウンタ部で記憶してこれを表示部に所定表示単位で表示するように構成されている。
【０００３】
【発明が解決しようとする課題】
通常、この積算流量を記憶するカウンタ部の桁数は表示部の表示桁数に一致しており、例えば積算流量が「ｍ３」の大流量表示単位で表されている場合、積算流量を「Ｌ」の小流量表示単位で表示して積算流量を詳細に把握しようとしても、単位流量信号あたりの流量が積算される積算値の内、大流量単位量（ｍ３）を超えた分のみが積算流量として算出されているため、大流量単位量以下の小流量（１０００Ｌ未満）は記憶されておらず、大流量表示単位量以下の小流量部分の表示は零表示となってしまう等の欠点が生じている。
【０００４】
本発明は、上記要望に鑑み発明されたもので、被測液体の流量に応じた流量信号を計測してこの流量信号に応じた積算流量を積算して、この積算流量を随時任意の流量表示単位に切換えて表示できるように構成した流量計の表示装置を提供しようとするものである。
【０００５】
【課題を解決するための手段】
被測液体の流量に応じた流量信号を計測してこの流量信号を受けると単位流量信号あたりの流量を積算してこの積算値から所定流量単位の積算流量を算出し、これをカウンタ部で記憶し、この積算流量を各種流量表示単位に切換えて表示部で表示するように構成した流量計の表示装置において、
積算流量を記憶するカウンタ部の桁数を表示部の表示桁数よりも多くする一方、
設定モード時、カウンタ部に記憶された積算流量の流量単位と所望流量表示単位とからカウンタ部の最下位表示桁を算出して、この最下位表示桁から表示部の表示桁の個数に相当する桁の値を表示部で表示するように構成されている。
【０００６】
【発明の実施の形態】
以下、図面に基づき本発明の実施の形態を説明する。図１において、１は被測液体の流量を計測する流量計の表示装置であり、被測液体の流量に応じてセンサユニット２から発信される流量信号の一例の流量パルスが入力する制御部３、計測開始・終了指令信号等各種の指令信号を出力する操作部４、制御部３からのインクリメント指令信号を積算するカウンタ部５ａを備えた記憶部５と、カウンタ部５ａに記憶された積算流量を８桁の表示桁で表示する表示部６とを有している。
【０００７】
前記操作部４は計測開始・終了指令信号の他、積算流量表示モード指令信号あるいは瞬時流量表示モード指令信号および流量表示単位切換指令信号を出力して積算流量あるいは瞬時流量を任意の表示単位で表示するとともに、各種設定情報を設定する設定モードを選択する設定モード指令信号を出力できるように構成されている。また、この操作部４はリセット信号を出力できるように構成されており、積算流量を含む各種データをクリアできるように構成されている。
【０００８】
前記記憶部５は、製造段階で入力される各種流量算出に必要な単位流量パルスあたりの流量等の設定情報を記憶するとともに、設定モード時に操作部４から入力される流量表示単位に対応する数値（Ｎ）を記憶するように構成されている。この数値Ｎは表示単位に応じてあらかじめ設定されており、後記するカウンタ部５ａの流量単位をｍＬとした時の各表示単位の１桁目の桁位置を表し、ｍＬ表示の場合Ｎ＝１、Ｌ表示の場合、Ｎ＝４、ｍ３表示の場合、Ｎ＝７となっている。
【０００９】
前記カウンタ部５ａは、表示部６の表示桁よりも多い１６桁の１０進カウンタでなっており、制御部３からインクリメント指令信号を受ける毎に、積算流量を＋１するように構成されている。
【００１０】
前記制御部３は、設定モード時以外は計測モードとなっており、操作部４から計測開始指令信号を受けると、流量パルスが入力される毎に単位流量パルスあたりの流量を積算して積算値を得て、この積算値の有効数字となる桁（単位流量パルスあたりの流量が０．２３ｍＬの場合、１ｍＬとなって、流量単位はｍＬ）の値がインクリメントされると、記憶部５にインクリメント指令信号を出力して、カウンタ部５ａの最下位桁の値を＋１し、積算流量をｍＬ単位（流量単位桁ｎ＝１）で記憶するように構成されている。
【００１１】
また、制御部３は設定モード時、操作部４から所望の表示単位に応じた数値Ｎ（ｍ３表示の場合、Ｎ＝７）が入力されると、カウンタ部５ａの流量単位桁ｎとから、カウンタ部５ａの１６桁の中から、最下位表示桁（Ｎ−ｎ＋１＝７）を算出し、この桁から上位８桁の値を表示部６に出力して表示するように構成されている。
【００１２】
さらに、前記制御部３は操作部４から表示単位に応じて小数点が付される桁を計算あるいは各表示単位に対応して設けられた表（図示せず）から得ることができるように構成されている。たとえば、表示単位が０．１Ｌ、１Ｌ、０．０１  ｍ３、０．１ｍ３、１ｍ３の時、小数点の桁は１，０，２，１，０（小数点の桁０は１桁目、１は１桁目と２桁目との間、２は２桁目と３桁目との間）に移動するように構成されている。
【００１３】
なお、前記制御部３は、瞬時流量表示モード指令信号により瞬時流量を算出してこれを表示部６で表示するとともに、瞬時流量についても積算流量と同様に任意の表示単位で表示できるように構成されている。
【００１４】
上記流量計の表示装置では、電源が投入されて後、操作部４から計測開始指令信号が出力されると、被測液体の流量に応じて流量計のセンサユニット２から発信される流量パルスが制御部３に送られ、制御部３で単位流量パルスあたりの流量（例えば、０．２３ｍＬ）が積算される。この積算値の有効数字は３桁目に現れるので、この３桁目の値がインクリメントされる毎に、制御部３から記憶部５にインクリメント指令信号が出力される。そのため、カウンタ部５ａの最下位桁の値が＋１され、積算流量がｍＬの流量単位（流量単位桁ｎ＝１）で記憶される。
【００１５】
この時、操作部４で流量表示単位のｍ３表示が選択されている（Ｎ＝７が入力されている）と、あらかじめ最下位表示桁（７−１＋１＝７）が算出されているので、この最下位表示桁から上位８桁のカウンタ部５ａの値が図２に示すように表示部６に出力されて表示される。
【００１６】
一方、作業者が積算流量を正確に知るために流量表示単位をｍ３表示からＬ表示に変更する時には、操作部４で、設定モードが選択されるとともに、操作部４からＬ表示に対応した数値（Ｎ＝４）が入力される。そのため、この数値４から最下位表示桁（４−１＋１＝４）が算出され、図２に示すようにカウンタ部５ａの４桁目から上位８桁の値が表示部６で表示され、作業者は積算流量をより小流量単位で把握することができる。しかも、表示単位が変更になっても、積算流量はカウンタ部５ａに残ってているので、随時希望の流量単位に変更することができる。
【００１７】
【発明の効果】
以上説明したように、本発明は被測液体の流量に応じて発信される流量信号に応じた積算流量を表示部の表示桁数より多い桁数のカウンタ部で記憶するとともに、希望の表示単位に応じてカウンタ部から最下位表示桁を算出してこれから表示部の表示桁数と同数の桁の値を表示部で表示するように構成しているため、表示単位を切換えても、表示単位切換え前の積算流量を残しておくことができ、大流量単位の表示から小流量単位の表示に切換えても、小流量まで正確に積算流量を把握することができる等の利点がある。
【図面の簡単な説明】
【図１】本発明に係る流量計の表示装置の概略図である。
【図２】本発明に係る表示部の表示桁選択方法の説明図である。
【符号の説明】
１  表示装置
２  センサユニット
３  制御部
４  操作部
５  記憶部
５ａ  カウンタ部
６  表示部
【図１】
0003598041.tif 000002
【図２】
0003598041.tif 000003